(57)【要約】【課題】脳卒中の後遺症である上肢麻痺により手指が握ったままとなり、開きにくい手指、手根関節を伸展することができる手指の伸展補助具を提供する。【解決手段】硬質板状本体１と、硬質板状本体１に第１指を固定するための第１指固定部材２ａと、第２〜第５指を固定するための指用固定部材２ｂと、手根関節を固定するための手根固定部材２ｃと、指用固定部材を通すためのリング部材３ａと、手根固定部材を通すためのリング部材３ｂと、少なくとも２つ以上の第１指固定部材穴５ａと、少なくとも２つ以上の指用固定部材穴５ｂと、少なくとも２つ以上の手根固定部材穴５ｃと、指用固定部材２ｂに延設される少なくとも２つの指用固定部材帯６ａ,６bと少なくとも２つの手根固定部材帯６ｃ,６dとを備えそれぞれの指用固定部材帯６ａ,６bと手根固定部材帯６ｃ,６dとを十字に係合させることを特徴とする手指の伸展補助具。【選択図】図６
2019141372.tif 000002
【特許請求の範囲】
【請求項１】
強度があり、軽量な硬質板状本体と、
該硬質板状本体に第１指を固定するため、両端に面ファスナーを取り付けた帯状の第１指固定部材と、
第２〜第５指を固定するため、一端に面ファスナーが取り付けられた帯状の指用固定部材と、
手根関節を固定するための、一端に面ファスナーが取り付けられた帯状の手根固定部材と、
該指用固定部材の他端に、該指用固定部材を通すためのリング部材と、
該手根固定部材の他端に、該手根固定部材を通すためのリング部材と、
該第１指固定部材を通すための該硬質板状本体に設けられる少なくとも２つ以上の第１指固定部材穴と、
該指用固定部材を通すための該硬質板状本体に設けられる少なくとも２つ以上の指用固定部材穴と、
該手根固定部材を通すための該硬質板状本体に設けられる少なくとも２つ以上の手根固定部材穴と、
該指用固定部材を穴に通した状態の該指用固定部材穴の近傍から該指用固定部材に延設される少なくとも２つの該指用固定部材帯と、
該手根固定部材を穴に通した状態の該手根固定部材穴の近傍から該手根固定部材に延設される少なくとも２つの該手根固定部材帯と、を備えそれぞれの該指用固定部材帯と該手根固定部材帯とを十字に係合させることを特徴とする手指の伸展補助具。
【請求項２】
該硬質板状本体は第１指の部分だけが分かれた二股の手型をした板状に成型されたことを特微とする請求項１記載の手指の伸展補助具。
【請求項３】
該硬質板状本体の表面の少なくとも一部に滑り止め部材を配置することを特徴とする請求項１又は請求項２に記載の手指の伸展補助具。
【発明の詳細な説明】
【技術分野】
【０００１】
本発明は脳卒中の後遺症である上肢麻痺により手指が握ったまま開きにくい第１指〜第５指を伸展することができる手指の伸展補助具に関するものである。
【背景技術】
【０００２】
上肢麻痺により手指が握ったまま開きにくくなっているため第１指〜第５指を伸展することは、１人では困難であり、介護者を必要としてしいる。
【０００３】
そこで、介護者の必要なく１人で着脱をすることができる手指の伸展補助具が必要である。
【０００４】
手指の機能を改善させるための掌の背面、又は内面に対して配された袋状の内部に気体もしくは液体注入、排気して手根関節に対して受動的な開閉運動が起こされる手根関節のリハビリ用具（例えば特許文献１参照）が提案されている。また、第１指〜第５指の伸展、手根の伸展を目的とする。手指の伸展補助具（例えば特許文献２参照）が提案されている。
【先行技術文献】
【特許文献】
【０００５】
【特許文献１】特開２０１２−１６４９７号公報
【特許文献２】実用新案登録第３１８８４３５号
【発明の概要】
【発明が解決しようとする課題】
【０００６】
しかしながらこのような器具においては大掛かりであり、身体に障害のある使用者が自分で着脱するには困難である。又、袋体の内部に気体もしくは液体注入しなくてはならない為、介護者が必要となる。さらに第１指〜第５指を伸展し、手根を固定する手指の伸展補助具があるがこの形状では第２〜第５指の第３関節部分に頸縮が強く表われる人には本体への圧着、固定が安定していないため、伸展が不安定である。
【０００７】
本発明は介護者の必要なく使用者が１人で着脱可能且つ、第１指〜第５指の第３関節部分の伸展が安定して行える手指の伸展補助具の提供を目的とする。
【課題を解決するための手段】
【０００８】
上記目的を解決するための請求項１記載の発明は、強度があり、軽量な硬質板状本体と、該硬質板状本体に第１指を固定するため、両端に面ファスナーを取り付けた帯状の該第１指固定部材と、第２〜第５指を固定するため、一端に面ファスナーが取り付けられた帯状の指用固定部材と、手根関節を固定するため、一端に面ファスナーが取り付けられた帯状の手根固定部材と、該指用固定部材の他端に、該指用固定部材を通すためのリング部材と、該手根固定部材の他端に、該手根固定部材を通すためのリング部材と、該第１指固定部材を通すための該硬質板状本体に設けられる少なくとも２つ以上の第１指固定部材穴と、該指用固定部材を通すための該硬質板状本体に設けられる少なくとも２つ以上の指用固定部材穴と、該手根固定部材を通すための該硬質板状本体に設けられる少なくとも２つ以上の手根固定部材穴と、該指用固定部材を穴に通した状態の該指用固定部材穴の近傍から該指用固定部材に延設される少なくとも２つの該指用固定部材帯と、該手根固定部材を穴に通した状態の該手根固定部材穴の近傍から該手根固定部材に延設される少なくとも２つの該手根固定部材帯と、を備えそれぞれの該指用固定部材帯と該手根固定部材帯とを十字に係合させることを特徴とする。
【０００９】
上述した硬質板状本体の厚さは０．５ｍｍ〜１．２ｍｍ迄が好ましい。指用固定部材、手根固定部材に帯状の面ファスナーを設けたことにより、圧着、固定を安定して行える事ができる。
【００１０】
上述した硬質板状本体に取り付けられる指用固定部材と手根固定部材に伸縮可能な面ファスナーを設け、十字に係合することにより指の第３関節部分の伸展が安定し、及び促進することを可能にした。
【００１１】
上述した滑り止め部材は厚さ０．１ｍｍ〜０．５ｍｍ迄が好ましい。滑り止め部材を設けたことにより手指の伸展を安定さすことができる。
【００１２】
上述した硬質板状本体をひっくり返し第１指固定部材、指用固定部材、手根固定部材を差し替えることにより右手、左手どちらにも使用可能にした。
【発明の効果】
【００１３】
本発明の手指の伸展補助具に於いては、指用固定部材と手根固定部材の間に伸縮可能な該指用固定部材帯と該手根固定部材帯とを十字に係合させることにより、第２〜第５指の第１〜第３関節部分を硬質板状本体に圧着、固定する事ができ、安定した指の伸展を可能にすることができる。さらに、第１指〜第５指が手の平側に握り込まれ、手根関節が９０度近く内側に曲がり込み、その手指が胸腺部分に密着し、肩部、上腕部、前腕部、手根関節部、手の甲部、指先が体の中心に巻き込まれる状態となり、そのため上肢がつっぱり、痛みとなる。そこで意図的に、第１指〜第５指の第１関節〜第３関節、手根関節を伸展すると、手指の血流が良くなり、浮腫が改善され、一時的に手指に弛緩がおこり、手指が手の平側に握り込まれた為の前腕部のつっぱり、上腕部のつっぱり、巻き肩が緩和され、爪切り、洋服の着脱、手の平の洗浄等、要介護者だけでなく、介護者の負担を軽減する事ができ、上肢が体の内側に巻きこまれるのを防ぎ、痛みも緩和され、痛みが緩和されることにより要介護者のリハビリへの意欲、自立を促すことができる。
【図面の簡単な説明】
【００１４】
【図１】硬質板状本体を示す図
【図２】帯状の固定部材を示す図
【図３】手指の伸展補助具を展開した表側を示す図
【図４】手指の伸展補助具の装着手順を示す
【図５】手指の伸展補助具の装着手順を示す図
【図６】手指の伸展補助具の装着完了状態を示す図
【図７】手指の伸展補助具の装着完了状態の裏側を示す図
【図８】手根側からの伸展補助具の断面を示す図
【図９】伸展補助具の使用状態を示す
【発明を実施するための形態】
【００１５】
図１は強度があり、軽量で、ポリエチレンやポジプロピレンや硬化プラスチック材で形成され、第１指の部分だけが別れた二股の手形をした手指を圧着、固定するための該硬質板状本体１と、本体１の表面には手指が圧着しても手指が傷つくことが無く、物に当たっても本体１が傷つかないクッション性のある該滑り止め部材１ａを示す図である。
【００１６】
図２は第１指固定穴５ａに通す帯状の第１指固定部材２ａと、指用固定穴５ｂに通す帯状の指用固定部材２ｂと、手根固定穴５ｃに通す帯状の手根固定部材２ｃを示す図である。該指用固定部材２ｂの一端に他端側の該指用固定部材２ｂを通すための該リング部材３ａと、該手根固定部材２ｃの一端に他端側の該手根固定部材２ｃを通すための該リング部材３ｂを示す図である。
【００１７】
図３は本体１におす面ファスナー７ｃと、めす面ファスナー６ｅを設けた該第１指固定部材２ａと、帯状の指用固定部材２ｂに面ファスナー４ａ、を設けた該指用固定部材２ｂと、帯状の手根固定部材２ｃに面ファスナー４ｂ、を設けた該手根固定部材２ｃと、第１指用固定部材２ａを固定穴５ａ、指用固定部材２ｂを固定穴５ｂ，手根固定部材２ｃを固定穴５ｃに通した状態を示す図である。
【００１８】
図４は、第２〜第５指の第１〜第３関節を本体１に圧着、固定するために２つの指用固定部材帯６ａ、６ｂと、２つの手根固定部材帯６ｃ、６ｄとが面ファスナーで十字に係合される状態を示す図である。図で示すように、２つの指用固定部材帯６ａ、６ｂは該指用固定部材２ｂの該穴５ｂの近傍より延設され、２つの手根固定部材帯６ｃ、６ｄは該手根固定部材２ｃの該穴５ｃの近傍より延設される。２つの指用固定部材帯６ａ、６ｂは伸縮性のめす面ファスナーであり、２つの手根固定部材帯６ｃ、６ｄにはおす面ファスナー７ａ、７ｂが取り付けられており、指用固定部材帯６ａと手根固定部材帯６ｄ、指用固定部材帯６ｂと手根固定部材帯６ｃが各面ファスナーで係合されることで、手の甲で十字状態となり、本体１に第１〜第３関節を圧着、固定することができる。
【００１９】
図５は該指用固定部材帯６ａ、６ｂと、該手根固定部材帯６ｃ、６ｄを固定したあとに該指用固定部材２ｂを該リング部材３ａに通し、該手根固定部材２ｃを該リング部材３ｂに通したことを示す図である。
【００２０】
図６は該指用固定部材２ｂを面ファスナー４ａで係合し、該手根固定部材２ｃを面ファスナー４ｂで係合した状態を示す図である。
【００２１】
図７は図６の裏を示す図である。
【００２２】
図８は図６のＡ−Ａの断面を示す図である。
【００２３】
前記硬質板状本体１については、脳卒中の後遺症である上肢麻痺の手指は固く握りこんでいる。握り込んだ指先が手の平側に食い込み傷ができるほど強く握り込まれている人もいて、その手指を伸展圧着するには板状本体１に負荷がかかるそのために強度のある部材が好ましい。又、伸展補助具を装着したまま移動や他の動きの妨げにならず、ストレスになることなく使用するためにも軽量である事が好ましい。硬化プラスチック材で成型され第１指を別にして第２指〜第５指を一体化したじゃまにならない形状で、硬質板状本体１には穴５ａ、５ｂ、５ｃがあり、ベルトの入れ替えができるので、本体１を裏返すことにより右手、左手どちらにも使用できる構造であることが好ましい。
【００２４】
指用固定部材２ｂ及び手根固定部材２ｃ、リング３ａ、３ｂに通し、折り返し、引きながら固定できるため、手指及び手根を本体１に、安定した圧着、固定をする事ができる部材で第１指の伸展、第２指〜第５指の第１〜第３関節、手根関節の伸展が行える構造であることが好ましい。
【実施例１】
【００２５】
本発明の実施例図面９を参照して説明する。
【００２６】
図９は手指の伸展補助具を装着した状態を示す図である。
【００２７】
手指の伸展補助具を装着して座ったまま内側に曲がりやすい手首を麻痺のない方の手で補助しながらストレッチを行う。
【００２８】
座ったまま体の横で内側に曲がりやすい手首を麻痺のないほうの手で補助しながら手の甲の方を反らし体重をかけることで、前腕部の筋肉のストレッチ効果が得られる。また屈曲した手根関節、手指の伸展を行うことは、血流、筋肉のバランスを保ち浮腫みを軽減することができる。関節を動かさない、関節が動かない事で関節包，靭帯などの弾力が失われ上肢の関節が固まってしまう、麻痺側の手指が握りこまれたままだと腕、肩、全体がつっぱって動かなくなってしまう、肩の可動性が制限され、肩周りのつっぱりを強める。指の第１関節、第２関節、第３関節を伸ばすことは、上肢の筋肉、筋膜のつっぱりの改善につながっていく、脳卒中の後遺症のように、動かせない、動かない要介護者は指を握り込む筋肉が非常に強く、指先や手のひらが開けず伸びない状態、腕全体が硬く動かなくなっている。そのような人が意図的に指の第１〜第３関節を伸ばすことにより、前腕部のつっぱり、上腕部のつっぱり、肩周りの痛みが緩和される。手指の伸展補助具は続けて装着することで使用者本人が装着でき、指先、手の平が伸びない状態が改善され手の平の洗浄、爪切り、洋服の着脱等、要介護者だけでなく、介護者の負担までもが軽減され、要介護者のリハビリへの意欲、自立を促す事ができる。
【産業上の利用可能性】
【００２９】
寝たきりになる原因の３割近くが脳卒中などの脳血管疾患になっており、脳卒中の患者は２０２０年には３００万人を超すことが予想されている。脳卒中ではさまざまな障害が後遺症として残ってしまう、重い後遺症のために介護が必要となる原因の第１位になっている。手指の伸展補助具を使用することにより、日常生活での、手の平の洗浄、爪切り、洋服の着脱等、要介護者、介護者の負担を軽減、リハビリへの意欲の向上、促進において本発明は産業上の利用の可能性は高いものとおもわれる。
【符号の説明】
【００３０】
１    ：硬質板状本体
ｌａ  ：滑り止め部材
２ａ  ：帯状の第１指固定部材
２ｂ  ：帯状の指用固定部材
２ｃ  ：帯状の手根固定部材
３ａ  ：該指用固定部材を通すための該リング部材
３ｂ  ：該手根固定部材を通すための該リング部材
４ａ  ：帯状の指用固定部材を係合するための面ファスナー
４ｂ  ：帯状の手根固定部材を係合するための面ファスナー
５ａ  ：帯状の弟１指固定部材を通すための該穴
５ｂ  ：帯状の指用固定部材を通すための該穴
５ｃ  ：帯状の手根固定部材を通すための該穴
６ａ  ：該指用固定部材帯（めす面ファスナー）
６ｂ  ：該指用固定部材帯（めす面ファスナー）
６ｃ  ：該手根固定部材帯
６ｄ  ：該手根固定部材帯
７ａ  ：おす面ファスナー
７ｂ  ：おす面ファスナー
７ｃ  ：おす面ファスナー
【図１】
2019141372.tif 000003
【図２】
2019141372.tif 000004
【図３】
2019141372.tif 000005
【図４】
2019141372.tif 000006
【図５】
2019141372.tif 000007
【図６】
2019141372.tif 000008
【図７】
2019141372.tif 000009
【図８】
2019141372.tif 000010
【図９】
2019141372.tif 000011